(57)【要約】【課題】  仮設足場の出入り口となる開口部にパネル材を簡単に設置することができるとともに、強風に強いので通行人の安全を確保することができ、さらに見栄えも良いので居住者にも安心を与えることができる仮設足場開口養生具を提供する。【解決手段】  建物の玄関を開口するように設置される仮設足場６の開口部６１をパネル材２によって養生するための仮設足場開口養生具１であって、前記パネル材２を挿通させるパネル用挿通口３１を備えているとともに挿通した前記パネル材２を支持するパネル支持フレーム３と、このパネル支持フレーム３を前記仮設足場６の開口部６１に沿って取り付けるフレーム取付部材４とを有する。【選択図】      図１
2017186835.tif 000002
【特許請求の範囲】
【請求項１】
建物の玄関を開口するように設置される仮設足場の開口部をパネル材によって養生するための仮設足場開口養生具であって、前記パネル材を挿通させるパネル用挿通口を備えているとともに挿通した前記パネル材を支持するパネル支持フレームと、このパネル支持フレームを前記仮設足場の開口部に沿って取り付けるフレーム取付部材とを有する、前記仮設足場開口養生具。
【請求項２】
前記パネル支持フレームを前記開口部の天面側に取り付けるための前記フレーム取付部材は、前記パネル支持フレームに固定されたフック受け部材に引っ掛けるフック部と、前記仮設足場の枠材に掛止する掛止部とを有する吊り下げ金具として構成される、請求項１に記載の仮設足場開口養生具。
【請求項３】
前記パネル支持フレームを前記開口部の側面側に取り付けるための前記フレーム取付部材は、前記仮設足場の枠材を締め付けて把持するクランプとして構成される、請求項１または請求項２に記載の仮設足場開口養生具。
【請求項４】
断面略Ｈ型状に形成されているとともに、隣接して並設される前記パネル材間に設けられ、前記各パネル材を支持する前記各パネル支持フレームの側端部をそれぞれ嵌入させて連結する連結用金具を有する、請求項１から請求項３のいずれかに記載の仮設足場開口養生具。
【請求項５】
前記連結用金具には、長手方向にスライド可能なスライド部材が設けられており、前記スライド部材の一端部には前記パネル材の後端部に係止される係止部を備えている、請求項４に記載の仮設足場開口養生具。
【請求項６】
前記パネル用挿通口に挿通されるパネル材を有する、請求項１から請求項５のいずれかに記載の仮設足場開口養生具。
【発明の詳細な説明】
【技術分野】
【０００１】
本発明は、仮設足場の開口部をパネル材によって養生するための仮設足場開口養生具に関するものである。
【背景技術】
【０００２】
建物の改修工事等において建物の周囲や建物内に仮設足場が組まれる。作業員は、当該仮設足場の上で作業を行うが、工具や資材等を誤って落下させてしまう事故が発生している。そのため、仮設足場では、通行人等を落下物から防護するための養生が必要とされる。
【０００３】
従来、仮設足場の養生に関するものとして、実公平４−２１４０８号公報では、仮設足場の枠体に固定し溝の開口を互いに対向させて配置した一対のガイド部材と、これらガイド部材の開口にスライド可能に嵌入させた鋼鉄製の布板とを有するスライド式落下物防護用養生板が提案されている（特許文献１）。この特許文献１によると、前記布板を建物側にスライドさせることで、仮設足場と建物との隙間を完全に塞ぐことができるとされている。
【先行技術文献】
【特許文献】
【０００４】
【特許文献１】実公平４−２１４０８号公報
【発明の概要】
【発明が解決しようとする課題】
【０００５】
しかしながら、特許文献１に記載の発明では、鋼鉄製の布板の重量に起因する問題がある。例えば、ガイド部材に嵌め入れる作業は、重過ぎて容易には行えない。また、建物の玄関やマンションの通用口等のように、仮設足場に人が出入りする開口部を設ける場合、天面側はガイド部材を固定する枠体が左右離れた位置にしかない。そのため、布板は、ガイド部材の配置に応じた長さが必要となり重くなる。そうすると、ガイド部材が布板の重量に耐えきれずに破損し、布板が落下する危険がある。従って、当該発明を仮設足場の開口部に適用するのは実質的に困難である。
【０００６】
一方、従来の仮設足場の開口部においては、パネル材を仮設足場の枠材に針金等で取り付けて養生をすることもある。しかし、このような養生は、仮設足場の設置者が仮設足場の設置と一緒に簡易的に行うものであるため、パネル材が強風で飛ばされて通行人に当たりけがをする事故が起きている。また、簡易的に貼り付けられたパネル材は、見栄えが悪く、建物の利用者等からの苦情も存在していた。よって、工務店等の業者に依頼して開口部を覆う構造物を造作し、設置することも行われている。しかし、製造コストが高額となる問題から一般的な普及には至っていない。
【０００７】
本発明は、この問題点を解決するためになされたものであって、仮設足場の出入り口となる開口部にパネル材を簡単に設置することができるとともに、強風に強いので通行人の安全を確保することができ、さらに見栄えも良いので居住者にも安心を与えることができる仮設足場開口養生具を提供することを目的としている。
【課題を解決するための手段】
【０００８】
本発明に係る仮設足場開口養生具は、建物の玄関を開口するように設置される仮設足場の開口部をパネル材によって養生するための仮設足場開口養生具であって、前記パネル材を挿通させるパネル用挿通口を備えているとともに挿通した前記パネル材を支持するパネル支持フレームと、このパネル支持フレームを前記仮設足場の開口部に沿って取り付けるフレーム取付部材とを有する。
【０００９】
また、本発明の一態様として、前記パネル支持フレームを前記開口部の天面側に取り付けるための前記フレーム取付部材は、前記パネル支持フレームに固定されたフック受け部材に引っ掛けるフック部と、前記仮設足場の枠材に掛止する掛止部とを有する吊り下げ金具として構成されるようにしてもよい。
【００１０】
さらに、本発明の一態様として、前記パネル支持フレームを前記開口部の側面側に取り付けるための前記フレーム取付部材は、前記仮設足場の枠材を締め付けて把持するクランプとして構成されるようにしてもよい。
【００１１】
また、本発明の一態様として、断面略Ｈ型状に形成されているとともに、隣接して並設される前記パネル材間に設けられ、前記各パネル材を支持する前記各パネル支持フレームの側端部をそれぞれ嵌入させて連結する連結用金具を有していてもよい。
【００１２】
さらに、本発明の一態様として、前記連結用金具には、長手方向にスライド可能なスライド部材が設けられており、前記スライド部材の一端部には前記パネル材の後端部に係止される係止部を備えていてもよい。
【００１３】
また、本発明の一態様として、前記パネル用挿通口に挿通されるパネル材を有していてもよい。
【発明の効果】
【００１４】
本発明によれば、仮設足場の出入り口となる開口部にパネル材を簡単に設置することができるとともに、強風に強いので通行人の安全を確保することができ、さらに見栄えも良いので居住者にも安心を与えることができる。
【図面の簡単な説明】
【００１５】
【図１】本発明に係る仮設足場開口養生具において仮設足場の開口部の天面側に取り付けられる仮設足場開口養生具の一実施形態を示す斜視図である。
【図２】本実施形態の仮設足場開口養生具を仮設足場に取り付けた使用状態を示す図である。
【図３】本実施形態における天面側支持フレームを示す斜視図である。
【図４】本発明に係る仮設足場開口養生具において仮設足場の開口部の側面に取り付けられる仮設足場開口養生具の一実施形態を示す斜視図である。
【図５】本実施形態における吊り下げ金具を示す（ａ）斜視図および（ｂ）側面図である。
【図６】他の実施形態における吊り下げ金具を示す斜視図である。
【図７】本実施形態における連結用金具を示す斜視図である。
【図８】本実施形態の仮設足場の開口部の天面側に取り付けられる仮設足場開口養生具を示す分解斜視図である。
【図９】本実施形態の仮設足場の開口部の天面側に取り付けられる仮設足場開口養生具を示す組み立て図である。
【発明を実施するための形態】
【００１６】
以下、本発明に係る仮設足場開口養生具の一実施形態について図面を用いて説明する。
【００１７】
本実施形態の仮設足場開口養生具１は、図１に示すように、パネル材２と、このパネル材２を支持するパネル支持フレーム３と、このパネル支持フレーム３を仮設足場６に取り付けるフレーム取付部材４と、隣接して並設されるパネル材２を連結する連結用金具５とを有する。以下、各構成について説明する。
【００１８】
パネル材２は、仮設足場６の開口部６１に沿って配置されることにより通用口を養生する主材として構成されるものである。このパネル材２は、ベニヤ板やコンクリートパネル等の木製合板からなり、パネル支持フレーム３のパネル用挿通口３１に挿通可能な厚さに形成されている。本実施形態におけるパネル材２は、比較的入手が容易な幅約９０ｃｍの板材を用いている。なお、パネル材２の素材は、特に限定されるものではなく、仮設足場６の開口部６１を養生しうる強度等を担保できる限り、発泡樹脂パネル等の他の素材から適宜選択してもよい。
【００１９】
パネル支持フレーム３は、パネル材２を挿通させるパネル用挿通口３１を備えたフレーム状の部材である。本実施形態におけるパネル支持フレーム３は、長尺状の金属板材をパネル材２の寸法に合わせて適宜屈曲させ、溶接によって接合させて略矩形状に形成されている。なお、パネル支持フレーム３の素材は金属製に限定されるものではなく、化学合成樹脂等の他の素材から適宜選択してもよい。
【００２０】
また、本実施形態におけるパネル支持フレーム３は、図２に示すように、仮設足場６の開口部６１の天面側に取り付けられる天面側支持フレーム３２と、前記開口部６１の側面側に取り付けられる側面側支持フレーム３３とからなる。以下、各支持フレームについて説明する。
【００２１】
天面側支持フレーム３２は、開口部６１の天面に沿ってパネル材２を略水平状に支持するためのものであり、図３に示すように、パネル材２を挿入可能な横長矩形状のパネル用挿通口３１を有する。本実施形態では、前記パネル用挿通口３１が横方向に２口並べた状態で形成されている。また、天面側支持フレーム３２には、後述する吊り下げ金具４１を引っ掛けるフック受け部材３４が固定されている。本実施形態におけるフック受け部材３４は、天面側支持フレーム３２の長手方向に沿って上方に向けて延設される長尺状の板材からなり、吊り下げ金具４１を引っ掛けるためのフック受け孔３５を有する。このフック受け孔３５は、前記フック受け部材３４の中央位置から対称となる位置に１つずつ形成されている。なお、フック受け孔３５の数や配置は特に限定されるものではなく、支持するパネル材２の重量等に応じて適宜選択してもよい。
【００２２】
側面側支持フレーム３３は、開口部６１の側面に沿ってパネル材２を略垂直状に支持するためのものであり、図４に示すように、パネル材２を挿入可能な縦長矩形状のパネル用挿通口３１を１口備えている。なお、この側面側支持フレーム３３および前記天面側支持フレーム３２におけるパネル用挿通口３１の口数は、特に限定されるものではなく、パネル材２の幅や厚さ、仮設足場６の開口部６１の大きさ等に応じて適宜選択してもよい。
【００２３】
つぎに、フレーム取付部材４について説明する。フレーム取付部材４は、各パネル支持フレーム３を仮設足場６の開口部６１に沿って取り付けるものである。
【００２４】
天面側支持フレーム３２におけるフレーム取付部材４は、図１および図２に示すように、仮設足場６の枠材６２に掛止する吊り下げ金具４１からなる。この吊り下げ金具４１は、図５に示すように、主に、フック受け部材３４に引っ掛けるフック部４２と、仮設足場６の枠材６２に掛止する掛止部４３と、枠材６２から掛止部４３が外れないようにする折れピン４４とを有している。
【００２５】
フック部４２は、天面側支持フレーム３２に固定されたフック受け部材３４に引っ掛けるものであり、本実施形態では、丸棒の下端を略Ｕ字状に曲げた形状を有している。また、フック部４２の各端部にはネジ溝が形成されており、ナットが螺合できるようになっている。
【００２６】
掛止部４３は、長尺状の板材を以下のように適宜屈曲することにより形成されている。
【００２７】
下端は略Ｌ字状に屈曲されており、その屈曲させた部分には前記フック部４２の上端を挿通させるフック部挿通口４５が形成されている。一方、上端は、仮設足場６の枠材６２に掛止できるように、前記枠材６２の外径に合わせてＵ字を上下逆転させた略逆Ｕ字状に屈曲されている。また、この屈曲させた部分には、つぎに説明する折れピン４４を挿通させるためのピン挿通口４６がＵ字部分の先端側と板材側とにそれぞれ連通しうるように形成されている。
【００２８】
折れピン４４は、枠材６２に掛止させた掛止部４３のピン挿通口４６に挿通させて、前記掛止部４３が枠材６２から外れないようにするためのストッパーである。本実施形態における折れピン４４は、丸棒の一端部を略Ｌ字状に屈曲させて形成されている。また、他端部は、自重によって下方に回動する構成を有しており、本実施形態では、先端を二股状に形成し、その間に棒材４７を回動自在にピンで支持した構成を有する。また、前記棒材４７が折れ曲がる方向と略Ｌ字状に屈曲させた方向とは同方向になるように形成されており、略Ｌ字状に屈曲させた部分が錘となって常に下方を向くことで、前記棒材４７の回転方向と重力方向とが一致するようになっている。
【００２９】
また、本実施形態では、前記折れピン４４は、紛失防止のため、掛止部４３にワイヤ４８で連結されている。
【００３０】
なお、掛止部４３が枠材６２から外れないようにする構造は、折れピン４４によるものに限定されるものではなく、図６に示すように、ピン挿通口４６にボルトを挿通させナットで締結するようにしてもよい。
【００３１】
側面側支持フレーム３３におけるフレーム取付部材４は、図４に示すように、仮設足場６の枠材６２を締め付けて把持するクランプ４９とこのクランプを前記側面側支持フレーム３３に設けるクランプ台５０とからなる。
【００３２】
クランプ４９は、前記枠材６２等に用いられる単管等を把持するためのものであり、ナットを締め付けることで把持力が増し、枠材６２に固定できるようになっている。
【００３３】
クランプ台は、断面略コの字状に形成されており、前記クランプ４９を回転自在に支持している。本実施形態では、このクランプ台５０および前記クランプ４９は、側面側支持フレーム３３の上端部近傍および下端部近傍にそれぞれ１つずつ固定されている。
【００３４】
連結用金具５は、隣接して並設されるパネル材２間に設けられ、各パネル材２を支持する各パネル支持フレーム３の側端部をそれぞれ嵌入させて連結するものであり、図７に示すように、断面略Ｈ型状に形成されている。本実施形態の連結用金具５は、断面コの字状の棒材を２本背中合わせに固定することで断面略Ｈ型状に形成されている。
【００３５】
また、連結用金具５には、長手方向にスライド可能なスライド部材５１が設けられている。本実施形態におけるスライド部材５１は、断面略Ｈ型状に形成された連結用金具５の左右いずれかの板状部分に嵌め合わせられるように、長尺状の金属製板材の両側端部を略コの字状に内側に屈曲させて形成されている。また、スライド部材５１の一端部にはパネル材２を係止するための係止部５２を備えており、本実施形態では、パネル材２を嵌入可能な略コの字状に屈曲されて形成されている。さらに、図７に示すように、スライド部材５１には長手方向に沿って長孔５３が形成されている。この長孔５３は連結用金具５に設けられている突起５４に嵌め入れられるようになっている。
【００３６】
つぎに、本実施形態の仮設足場開口養生具１の各構成における作用について説明する。
【００３７】
天面側支持フレーム３２は、図２に示すように、吊り下げ金具４１を用いて仮設足場６の開口部６１の枠材６２に掛止させる。
【００３８】
具体的には、吊り下げ金具４１のフック部４２をフック受け部材３４のフック受け孔３５に挿通させ、引っ掛けるようにして持ち上げる。また、フック部４２の先端のネジ溝部分にナットを螺合させる。フック部４２が略Ｕ字状に形成されており、外すには天面側支持フレーム３２やパネル材２の重量に逆らって外れなければならないため、強風等で揺れても外れ難い。本実施形態では、さらに、先端にナットを螺合させているため、前記フック受け部材３４から前記フック部４２が外れることはない。また、フック部４２の上端は掛止部４３のフック部挿通口４５に挿入され先端のネジ溝部分にナットを螺合させる。
【００３９】
掛止部４３は、仮設足場６の枠材６２に掛止させる。本実施形態では、仮設足場６に設置された梁枠に掛止させる。また、掛止部４３を枠材６２に掛止させた後に、ピン挿通口４６に折れピン４４を挿入する。折れピン４４は、一端部の屈曲された方向が重くなるためその方向を下として配置される。折れピン４４の他端部の棒材４７は、前記屈曲方向と同方向に自重によって回動し折れ曲がる。折れピン４４は、平行にしなければ抜けなくなるため、掛止部４３は、フック部４２と同様、強風等により揺れても枠材６２から外れなくなる。また、折れピン４４は、挿入するだけで簡単に折れ曲がるため、工具等は不要であり、簡単かつ迅速に取付作業を行うことができる。また、折れピン４４は、ワイヤ４８により掛止部４３に連結されているため、紛失することなく、すぐに使用することができる。
【００４０】
また、掛止部４３とフック部４２とは、連結している部分のネジ溝に螺合させるナットの高さを調整することにより、仮設足場６の枠材６２に対する天面側支持フレーム３２の高さ調整が可能である。よって、天面側支持フレーム３２は、仮設足場６や建物の玄関等に対して平行に配置することができ、看者に綺麗に配置された印象を与えることができる。
【００４１】
また、本実施形態では、図８に示すように、天面側支持フレーム３２を前記仮設足場６の建物側と外側とに互いに平行して設置し、互いのパネル用挿通口３１にパネル材２を挿通させる。これにより、天面側支持フレーム３２はパネル材２を前後で支持することとなるため、前記パネル材２は傾くことなくバランスよく支持することができる。また、本実施形態におけるフック受け部材３４は、天面側支持フレーム３２を長手方向に沿って全体的に支持するため、パネル材２等の荷重による天面側支持フレーム３２の撓みが抑えられる。
【００４２】
連結用金具５は、図８に示すように、係止部５２がパネル材２の後端部よりも後方位置にスライドさせた状態で、隣接して並設されるパネル材２間に配置される。そして、各パネル材２を支持する前記各パネル支持フレーム３の側端部をそれぞれ嵌入させた後、長孔５３と突起５４によってスライド部材５１を長手方向に沿ってスライドさせ、係止部５２をパネル材２の後端部に嵌め入れる。これにより、連結用金具５は、図１および図９に示すように、パネル材２の間の隙間を塞ぎ、落下物から完全に保護することができる。また、スライド部材５１は、パネル材２の奥行きサイズが異なる場合であっても、パネル材２間を隙間なく塞いで美感を高めることができる。
【００４３】
側面側支持フレーム３３は、仮設足場６の開口部６１における側面側の枠材６２にクランプ４９を締め付けて把持させることによって固定される。本実施形態におけるクランプ４９は上下２箇所に設けられているため、開口部６１の側面側に対して平行に固定することができる。また、側面側支持フレーム３３は、天面側支持フレーム３２と同様に、前記仮設足場６の建物側と外側とに互いに平行して設置され、パネル材２をバランスよく支持することができる。さらに、クランプ４９は、クランプ台５０に対して回転自在に支持されているため、枠材６２の角度に合わせて傾斜させることもできる。また、クランプ台５０は、断面略コの字状に形成されているため側面側支持フレーム３３との接合部に係る荷重が分散され、パネル材２の重量による側面側支持フレーム３３の歪みを抑えることができる。
【００４４】
また、連結用金具５は、天面側と同様、開口部６１の側面側においてもパネル材２間に配置され、パネル材２間の隙間を塞ぐことができる。
【００４５】
以上のような本実施形態の仮設足場開口養生具１によれば、以下の効果を得ることができる。
１．パネル支持フレーム３はフレーム取付部材４によって仮設足場６の開口部６１の枠材６２に簡単に取り付けることができ、特に熟練作業を必要としない。
２．枠材６２に取り付けられたパネル支持フレーム３のパネル用挿通口３１にパネル材２を挿通することで養生が完了するため、養生作業を簡単にかつ迅速に行うことができる。
３．パネル支持フレーム３は枠材６２から外れにくい構造のため、強風などにも強くて安全を確保することができる。
４．隣接して並設されるパネル材２間に連結用金具５が設置されることにより、パネル材２間に形成される隙間を塞ぎ隙間からの落下物を防ぐことができる。
５．仮設足場６の開口部６１に沿ってパネル材２が設置されるため、見栄えも良く、建物の利用者の安心と満足度を向上させることができる。
【００４６】
なお、本発明に係る仮設足場開口養生具は、前述した一実施形態に限定されるものではなく、適宜変更することができる。
【００４７】
例えば、図示しないが、パネル材２が重たい場合や長い場合において、１枚のパネル材２を３つ以上のパネル支持フレーム３により支持してもよい。また、パネル支持フレーム３の奥行き方向の幅を長くすることで、１つのパネル支持フレーム３で１枚のパネル材２を支持するようにしてもよい。
【符号の説明】
【００４８】
１  仮設足場開口養生具
２  パネル材
３  パネル支持フレーム
４  フレーム取付部材
５  連結用金具
６  仮設足場
３１  パネル用挿通口
３２  天面側支持フレーム
３３  側面側支持フレーム
３４  フック受け部材
３５  フック受け孔
４１  吊り下げ金具
４２  フック部
４３  掛止部
４４  折れピン
４５  フック部挿通口
４６  ピン挿通口
４７  棒材
４８  ワイヤ
４９  クランプ
５０  クランプ台
５１  スライド部材
５２  係止部
５３  長孔
５４  突起
６１  開口部
６２  枠材
【図１】
2017186835.tif 000003
【図２】
2017186835.tif 000004
【図３】
2017186835.tif 000005
【図４】
2017186835.tif 000006
【図５】
2017186835.tif 000007
【図６】
2017186835.tif 000008
【図７】
2017186835.tif 000009
【図８】
2017186835.tif 000010
【図９】
2017186835.tif 000011
【手続補正書】
【提出日】平成29年6月16日(2017.6.16)
【手続補正１】
【補正対象書類名】特許請求の範囲
【補正対象項目名】全文
【補正方法】変更
【補正の内容】
【特許請求の範囲】
【請求項１】
仮設足場の出入り口となる開口部に沿って配置されるパネル材によって前記開口部を養生するための仮設足場開口養生具であって、前記パネル材を挿通させる略矩形状に形成されたパネル用挿通口を備えているとともに挿通した前記パネル材を支持するパネル支持フレームと、このパネル支持フレームを、前記開口部の天面に沿って前記パネル材が略水平状に支持されるように取り付ける、または前記開口部の側面に沿って前記パネル材が略垂直状に支持されるように取り付けるフレーム取付部材と、を有する、前記仮設足場開口養生具。
【請求項２】
前記パネル支持フレームを前記開口部の天面側に取り付けるための前記フレーム取付部材は、前記パネル支持フレームに固定されたフック受け部材に引っ掛けるフック部と、前記仮設足場の枠材に掛止する掛止部とを有する吊り下げ金具として構成される、請求項１に記載の仮設足場開口養生具。
【請求項３】
前記パネル支持フレームを前記開口部の側面側に取り付けるための前記フレーム取付部材は、前記仮設足場の枠材を締め付けて把持するクランプとして構成される、請求項１または請求項２に記載の仮設足場開口養生具。
【請求項４】
断面略Ｈ型状に形成されているとともに、隣接して並設される前記パネル材間に設けられ、前記各パネル材を支持する前記各パネル支持フレームの側端部をそれぞれ嵌入させて連結する連結用金具を有し、前記連結用金具には、長手方向にスライド可能なスライド部材が設けられており、前記スライド部材の一端部には前記パネル材の後端部に係止される係止部を備えている、請求項１から請求項３のいずれかに記載の仮設足場開口養生具。
【請求項５】
前記パネル用挿通口に挿通されるパネル材を有する、請求項１から請求項４のいずれかに記載の仮設足場開口養生具。
【請求項６】
請求項１から請求項５のいずれかに記載された仮設足場開口養生具によって養生された開口部を有する、仮設足場。